(57)【要約】      （修正有）【課題】広い検知視野を有し検知性能、経済性に優れると共に小型化が可能な赤外線検出器を提供する。【解決手段】人体等から放射される赤外線を検出する赤外線センサ１と、赤外線センサ受光面に直接入射する正面方向の赤外線を受光面に導く構造８と、受光面に直接入射しない側面方向の赤外線を赤外線センサ受光面に向かって変光させる反射面１０と、受光面に直接入射しない赤外線を導入する開口部を有する構造のミラー３を一つ備える構成とする。【選択図】図１
2013134117.tif 000002
【特許請求の範囲】
【請求項１】
人体等から放射される赤外線を赤外線センサ受光面に導く一つのミラーを備える赤外線検出器において、前記ミラーが上端部中央に管構造部を有し、赤外線センサ前面の半球状の視野エリアの正面方向からの赤外線を赤外線センサ受光面に集光する前述管構造部内壁からなる導光穴と、赤外線センサ前面の半球状の視野エリアの側面方向からの受光面に直接入射しない赤外線を赤外センサ受光面へ偏光させるための前述管構造部外壁からなる反射面を備え、また、上端から側面部に赤外線を導入するための開口部を備える構造を有することを特徴とする赤外線検出器。
【発明の詳細な説明】
【技術分野】
【０００１】
本発明は、検出対象から放射される赤外線を検知することにより、検出エリア内の熱源(人体)存在を検知する赤外線検出器に関するものである。
【背景技術】
【０００２】
従来、人体等より放射される赤外線を焦電型赤外線センサのような受光素子で受光することにより、検知エリア内における人の存在の有無を検知する検知装置が提供されている。このような検出装置においては、検知エリア内の熱源(人体)より放射された赤外線を集光させるために、赤外線の赤外線センサへの入射経路に赤外線を透過する樹脂を成型加工したレンズや樹脂成型品表面にCr等のメッキを施したミラーからなる光学系を設けている。
【０００３】
従来の赤外線検出器は、図４に示すように、赤外線センサ１の上部にミラー３が1つ設置される。反射した赤外線が赤外線センサ受光面に集光するように設計された曲面で構成された反射面を持つミラーを備える構造を有した赤外線検出器が提案されている。このとき使用される赤外線センサ１は市場で最も広く使用されているＴＯ−５型の赤外線センサを使用している。（特許文献１参照）
【０００４】
また、別の第1例として、図５に示すように、赤外線センサ１の上部と下部に２つミラー３ａ、３ｂを設置することで、図５中の赤外線センサ１底面方向に図６に示すような半球状の視野角を得ることが可能な赤外線検出器が提案、実用化されている。このとき使用される赤外線センサ１は市場で最も広く使用されているＴＯ−５型の赤外線センサを使用している。
【０００５】
また、別の第２例として、広い検知視野を実現するために図７に示すように、長方形のパッケージの表裏両面(図７ａ中左右)に受光窓を2つ有する特殊な形状の赤外線センサと、その下部に2面の反射面を備えるミラー３を有する構造の赤外線検出器において、水平方向（図７ａ中X軸方向）に180度検知可能な赤外線検出器が提案、実用化されている。
【０００６】
しかしながら、特許文献１の赤外線検出器に於いては、図４に示すように赤外線センサ１前面にミラー３を設置する構成となり、検知視野を拡大しようとすると、赤外線を集光するミラー３の面積を増加させ、ミラー３のサイズを大きくする必要があり、赤外線検出器の小型化が困難であるという問題がある。また、構造上図６に示すような半球状の視野角を得ることは不可能である。
【０００７】
また、別の第１例として挙げた赤外線検出器に於いては、図６に示すような半球状の視野角を得ることは可能であるが、図５に示すように赤外線センサ１の上部、下部に２つのミラー３を設置する必要があり、赤外線検出器自体が大型になり、且つ経済性に劣るという問題がある。
【０００８】
また、別の第２例としてあげた図７ａの赤外線検出器に於いては、小型の赤外線検出器を提供することは可能であるが、赤外線センサパッケージの表裏両面に赤外線受光窓を有する特殊で複雑な構造となるため、赤外線センサ自体が高価なものとなり、結果として赤外線検出器も高価になり、経済性に劣ってしまう。また、構造上図５ｂ中Ｙ軸方向に検知エリアを拡大することは困難であり、図６に示すような半球状の視野角を得ることは困難である。
【先行技術文献】
【特許文献】
【０００９】
【特許文献１】特開１０−６８８０６
【発明の概要】
【発明が解決しようとする課題】
【００１０】
本発明は、上記課題を解決するものであり、一般的なＴＯ−５型の赤外線センサを使用し、一つのミラーを備えることで、赤外線センサ前面の半球状の広い検知視野を有し、検知性能、経済性に優れると共に小型化が可能な赤外線検出器を提供する事を目的とする。
【課題を解決するための手段】
【００１１】
上記の課題を解決する為に、本発明の赤外線検出器は、人体等から放射される赤外線を検出する赤外線センサと、赤外線センサ受光面に直接入射する正面方向の赤外線を受光面に導く導光穴と、受光面に直接入射しない側面方向の赤外線を赤外線センサ受光面に向かって変光させる反射面と、受光面に直接入射しない赤外線を導入する開口部を有する構造のミラーを一つ備える構成とする。
【発明の効果】
【００１２】
本発明は前述のような構成となるため、一般的な形状のＴＯ−５型の赤外線センサを使用し、一つのミラーで、ミラーサイズを拡大することなく、小型で半球状の広い検知エリアを有し、経済的に優れた赤外線検出器の提供が可能となる。。
【図面の簡単な説明】
【００１３】
【図１】本発明に係る赤外線検出器を示す斜視外観図である。
【図２】本発明に係る赤外線検出器を示す上面図である。
【図３】本発明に係る赤外線検出器を示す断面図である。
【図４】従来の特許文献１に係る赤外線検出器を示す概略図である。
【図５】従来の別の形態第１例の赤外線検出器を示す概略図ある。
【図６】半球状視野角を示すイメージ図である。
【図７】従来の別の形態第2例の赤外線検出器を示す概略側面図（ａ）、上面図（ｂ）である。
【発明を実施するための形態】
【実施例１】
【００１４】
実施例１に係る赤外線検出器について、図１、２、３を参照して詳細に説明する。
【００１５】
図１は本発明の実施例１に係わる赤外線検出装置を示す斜視構造図、図２は本発明に係る赤外線検出器を示す上面図、図３は本発明に係る赤外線検出器を示す断面図である。
ＴＯ−５型のメタルパッケージからなる赤外線センサ１と、赤外線センサの受光面の前方に、光学レンズ機能が無い赤外線が透過可能な高密度ポリエチレンからなるカバー部２と、赤外線センサ受光面に赤外線を集光するミラー３と、赤外線検出器の信号処理を行う回路基板４からなる構成となっている。
【００１６】
カバー部２は光学レンズ機能が無い赤外線が透過可能な高密度ポリエチレンからなるとしているが、高密度ポリエチレンを成型加工した凸形状体もしくはフレネル形状体の小レンズセグメントを集合配置した多集合型レンズを用いても良い。
【００１７】
赤外線センサ受光面に赤外線を集光するミラー３は、外形は円筒形で、上端面中央には図３中検知エリアＡの方向より入射する赤外線を取り込むための管構造部５を有し、上端から側面部に図３中検知エリアＢ、Ｂ’より入射する赤外線を取り込む開口部６を備え、また、下端面(回路基板側)は開放され、下端面外周部にはミラーと赤外線検出器の回路基板４とを機械的に固定するためのフック構造を有している。
【００１８】
また、ミラー３の機械的固定の別の形態として、ミラー３の下端面外周部に前記フック構造を設けず、ミラー３の赤外線センサに近接する回路基板側の内壁面にリブ構造を設けることにより、赤外線センサに直接固定できるような構造としても良い。
【００１９】
ミラー３の上端面中央の管構造部５は架梁部７ａ、ｂにて保持されており、図３中検知エリアＡの方向より入射する赤外線は管構造部５の管内側の内壁にて形成される導光穴８をとおして赤外線センサ受光面９へ入射する構造となっている。
【００２０】
ミラー３の上端から側面部の開口部６は、ミラー上端から赤外線センサ１の天面までの高さ（図３中ｈ）、開口角（図２中α、α’）１８０°のサイズを有する開口部で、図３中検知エリアＢ、Ｂ’より入射する赤外線を取り込み赤外線センサ受光面９に入射する構造となっている。
【００２１】
また、ミラー３の上端面中央の管構造部５の外周部には開口部６より、図３中検知エリアＢ、Ｂ’から入射する赤外線の内、赤外線センサ受光面９に直接入射しない赤外線センサ受光面９と水平方向の赤外線を受光面９へ入射するように変向させる角度を有する反射面１０を備えている。
【００２２】
反射面1０は図面中では一つの反射角を有する反射面となっているが、管構造部５の外周部の上部と下部でミラー面を分割し、異なる反射角を持つミラー面としても良い。また、この反射面１０は反射した赤外線が赤外線センサ受光面９に集光するように設計された曲面が連続してなる曲面群で構成された反射面１０としても良い。
【００２３】
前述のような管構造部５、開口部６、導光穴８、反射面１０の構造を有するミラー３を１つ組み込むことにより、図６に示すような赤外線センサ前面の半球状の検知エリアを確保することが可能となる。
【００２４】
また、ミラー３は前述のような構成となるため、開口部高さｈと開口角αの設計変更することにより、任意の検知角の検知エリアを設定することが可能である。
【００２５】
本発明の赤外線検出器は上記のような構成となるため、ミラーの大型化、赤外線センサ構造の複雑化を伴わず、一つのミラーを配設するのみで、赤外線センサ前面の半球状の広い検知エリアを有する小型で経済的に優れた赤外線検出器の提供が可能となる。
【符号の説明】
【００２６】
１  赤外線センサ
２  カバー部
３  ミラー
４  回路基板
５  管構造部
６  開口部
７  架梁部
８  導光穴
９  赤外線センサ受光面
１０  反射面
１１  赤外線受光窓
【図１】
2013134117.tif 000003
【図２】
2013134117.tif 000004
【図３】
2013134117.tif 000005
【図４】
2013134117.tif 000006
【図５】
2013134117.tif 000007
【図６】
2013134117.tif 000008
【図７】
2013134117.tif 000009